(57)【特許請求の範囲】
【請求項１】
マスターエンハンストノードB(MeNB)回路であって：
セカンダリセルグループ(SCG)のシステムフレーム番号(SFN)とマスターセルグループ(MCG)のSFNとの間の第1差分を判定し、及び、前記SCGのサブフレーム番号と前記MCGのサブフレーム番号との間の第2差分を判定する判定回路；
前記第1及び第2差分に基づいて、前記SCGの間欠受信(DRX)又はメジャーメントギャップを、前記MCGのDRX又はメジャーメントギャップに整合させるギャップオフセットを設定する、前記判定回路に結合される調整回路；
前記ギャップオフセットの通知を、前記SCGに関連するセカンダリエンハンストノードB(SeNB)に送信し、及び、前記MCGのDRX又はメジャーメントギャップの通知を、ユーザー装置(UE)に送信する、前記調整回路に結合される送信回路；
を有し、前記SCGの前記SFNの通知は、前記MeNBの受信回路により、前記SeNBからSCG修正リクエストで受信され；
前記判定回路は、前記SCGのSFNについての受信した通知に基づいて、前記SCGのSFNと前記MCGのSFNとの間の第1差分を判定し、
前記送信回路は、前記SCGのDRX又はメジャーメントギャップの通知も、前記UEに送信する、MeNB回路。
【請求項２】
前記ギャップオフセットは、前記SCGのDRX又はメジャーメントギャップを、前記MCGのDRX又はメジャーメントギャップに、サブフレーム単位で整合させるものである、請求項1に記載のMeNB回路。
【請求項３】
前記SCGのSFNと前記MCGのSFNとの間の差分の通知を、ユーザー装置(UE)から受信する受信回路を更に有し、
前記判定回路は、前記差分についての受信した通知に基づいて、前記差分を判定する、
請求項1又は2に記載のMeNB回路。
【請求項４】
前記送信回路は、前記MCGのメジャーメントギャップを送信し、及び、
前記MeNBは、前記メジャーメントギャップに基づいて、前記UEから、無線リソース管理(RRM)メジャーメントの通知を受信する受信回路を更に有する、請求項1ないし3のうちの何れか一項に記載のMeNB回路。
【請求項５】
前記判定回路は、前記SCGのサブフレーム番号と前記MCGのサブフレーム番号との間の差分を判定するために、前記SeNBに同期させられる、請求項1ないし4のうち何れか一項に記載のMeNB回路。
【請求項６】
マスターエンハンストノードB(MeNB)が実行する方法であって：
セカンダリセルグループ(SCG)のシステムフレーム番号(SFN)の通知を、セカンダリエンハンストノードB(SeNB)から、修正リクエストで受信するステップと、
前記SCGのSFNとマスターセルグループ(MCG)のSFNとの間の第1差分を判定するステップ；
前記SCGのサブフレーム番号と前記MCGのサブフレーム番号との間の第2差分を判定するステップ；
前記第1及び第2差分に基づいて、前記SCGの間欠受信(DRX)又はメジャーメントギャップを、前記MCGのDRX又はメジャーメントギャップに整合させるギャップオフセットを設定するステップ；
前記ギャップオフセットの通知を、前記SCGに関連するSeNBに送信するステップ；
前記MCGのDRX又はメジャーメントギャップの通知と、前記SCGのDRX又はメジャーメントギャップの通知とを、ユーザー装置(UE)に送信するステップ；
を有する方法。
【請求項７】
前記ギャップオフセットは、前記SCGのDRX又はメジャーメントギャップを、前記MCGのDRX又はメジャーメントギャップに、サブフレーム単位で整合させるものである、請求項6に記載の方法。
【請求項８】
請求項6又は7に記載の方法を、通信装置のコンピュータに実行させるコンピュータプログラム。
【請求項９】
請求項8に記載のコンピュータプログラムを保存する記憶媒体。
【発明の詳細な説明】
【技術分野】
【０００１】
本開示の実施例は一般に無線通信の分野に関連し、特に、デュアルコネクティビティネットワークにおけるアライメントプロシジャに関連する。
【関連出願】
【０００２】
本願は「SYSTEMS,  DEVICES,  AND  METHODS  FOR  ALIGNMENT  PROCEDURES  IN  DUAL-CONNECTIVITY  NETWORKS」と題する2014年9月9日付けで出願された米国特許出願第14/481,508号による恩恵を享受し、その米国出願は「ONE  MEASUREMENT  METHOD  OF  LTE  DUAL  CONNECTIVITY」と題する2014年5月8日付けで出願された米国仮出願による恩恵を享受する。上記の出願の全体は本願のリファレンスに組み入れられる。
【背景技術】
【０００３】
LTE(Long  Term  Evolution)ネットワークでは、所与のユーザー装置(user  equipment：UE)が、理想的でないバックホールに接続された少なくとも2つの異なるアクセスノードにより提供される無線リソースを利用するオペレーションに言及するために、デュアルコネクティビティ(dual  connectivity：DC)が使用される。マスターエンハンストノードB(MeNB)及びセカンダリエンハンストノードB(SeNB)のように言及される2つのアクセスノードは、非同期であるかもしれない。これは、ネットワークリソースの管理に対して様々な問題を招く。
【図面の簡単な説明】
【０００４】
実施例は添付図面に関連する詳細な記述により適切に理解されるであろう。本説明を促すために、同様な参照番号は同様な構造要素を示している。実施例は例示的に示されており、添付図面に限定されるものではない。
【図１】様々な実施形態によるワイヤレス通信環境を概略的に示す図。
【図２】様々な実施形態によるデュアルコネクティビティ環境におけるネットワークベースのメッセージフローを示す図。
【図３】デュアルコネクティビティ環境における他のネットワークベースのメッセージフローを示す図。
【図４】デュアルコネクティビティ環境におけるUEベースのメッセージフローを示す図。
【図５】デュアルコネクティビティ環境における他のUEベースのメッセージフローを示す図。
【図６】本願で説明される様々な形態を実施するために使用されてよいコンピューティングデバイス例を示すブロック図。
【発明を実施するための形態】
【０００５】
以下の詳細な説明では、本願の一部を為す添付図面が参照され、図中、同様な番号は同様な部分を示し、図面には実施されうる形態が例示的に示されている。他の形態が使用されてもよいこと、及び、本開示の目的から逸脱することなく構造的又は論理的な変更が為されてよいことが、理解されるべきである。
【０００６】
様々なオペレーションは、個別的な複数の動作又は処理として、請求項の対象事項の理解に役立つ仕方で順に記述される。しかしながら、説明の順序は、それらの動作が説明の順序に依存しなければならないことを意味するように解釈されるべきでない。特に、これらの動作は、説明される順序で実行されなくてもよい。説明される動作は、説明される実施例とは異なる順序で実行されてもよい。様々な追加的な動作が実行されてもよいし、或いは、説明された動作が別の実施形態では省略されてもよい。
【０００７】
本開示の目的に関し、「又は」という用語(「或いは」という用語)は、その用語で結び付けられるコンポーネント群のうちの少なくとも1つを意味する包括的な用語として使用される。例えば、「A又はB」という言い回しは、「A」、「B」又は「A及びB」を意味し；「A、B又はC」という言い回しは、「A」、「B」、「C」、「A及びB」、「A及びC」、「B及びC」又は「A、B及びC」を意味する。
【０００８】
本説明は「実施例」又は「実施形態」の言い回しを使用しており、これらはそれぞれ同一又は異なる形態のうちの1つ以上を指す。更に、本開示の実施形態に関連して使用されるような「備える」、「含む」、「有する」等の用語は、同義語的であってよい。
【０００９】
本願で使用されるように、「回路」という用語は、特定用途向け集積回路(ASIC)、電子回路、プロセッサ(共用されるプロセッサ、専用のプロセッサ又はプロセッサ群)、又は、1つ以上のソフトウェア又はファームウェアプログラムを実行するためのメモリ(共用されるメモリ、専用のメモリ又はメモリ群)、組み合わせ論理回路、或いは、説明される機能を提供する他の適切なハードウェアコンポーネントの一部分を指してもよいし、或いは、それらを包含してもよい。
【００１０】
図1は様々な実施形態におけるデュアルコネクティビティ無線通信環境100を概略的に示す。環境100は、MeNB108及びSeNB112等のような2つのアクセスノードと無線通信するユーザー装置(user  equipment：UE)104を含む。アクセスノードは、3GPP(3rd  Generation  Partnership  Project)LTEネットワーク(又は、LTE-アドバンスト(LTE-A)ネットワーク)の一部であってもよい。特に、アクセスノードは、1つ以上のE-UTRAN(evolved  universal  terrestrial  radio  access  networks)等のような、LTE/LTE-Aネットワークの1つ以上の無線アクセスネットワーク(RAN)の一部であってよい。E-UTRANはEPC(Evolved  Packet  Core)等のようなコアネットワークに結合され、EPCはLTE/LTE-Aネットワークの様々な管理及び制御の機能を実行する。例えば、EPCはMME(mobility  management  entity)を含み、MMEはアイドルモードのUEのページング、及び、再送を含むタギングプロシジャの処理を担う。EPCは様々なRAN及び他のネットワークの間の通信インターフェースを提供してもよい。
【００１１】
MeNB108及びSeNB112は、理想的でないバックホールチャネルを介して互いに通信可能に結合されているかもしれない。バックホールチャネルは、2つのアクセスノード間の直接的なチャネルであってもよいし、或いは、例えばEPCを介する間接的なチャネルであってもよい。様々な実施形態において、MeNB108及びSeNB112は、EPCの複数のエンティティとの通信を促すように、追加的なワイヤレスでない通信インターフェースを含んでもよい。
【００１２】
MeNB108は、マスターセルグループ(master  cell  group：MCG)として言及されるサービングセルのグループに関連付けられる。MeNB108は、UE104との通信に関し、環境100内のEPC制御機能部の様々なエンティティとのインターフェースをなすeNBであってよい。例えば、MeNB108はS1-MMEインターフェースを終端してもよく、従って、EPCに向かうモビリティアンカーとして機能してもよい。
【００１３】
SeNB112は、セカンダリセルグループ(secondary  cell  group：SCG)として言及されるサービングセルのグループに関連付けられる。SeNB108は、UE104に対する追加的な無線リソースを提供する。SeNB108の動作は、UE104の通信に関し、MeNB108により制御されてもよい。例えば、SeNB112がSCG内のセルのコンフィギュレーションを修正することを希望する場合、SeNB112は、適切なSCG変更リクエストをMeNB108に送信する。MeNB108は、要求される修正が許容されるか否かを判断し、それに応じてSeNB112に指図してもよい。
【００１４】
MCG内のセルは、SCG内のセルと非同期であるかもしれない。従って、MCGのシステムフレーム番号(system  frame  number：SFN)又はサブフレームは、SCGにおけるSFN又はサブフレームと同じでないかもしれない。同じでないことは、UEから/へのアップリンク/ダウンリンク通信が制限されなければならない場合に、問題を招くおそれがある。例えば、ある場合には、メジャーメントギャップが或る時間期間を規定し、その間、UE104に対してアップリンク通信もダウンリンク通信もスケジューリグされない。これは、UEが、様々な無線リソース管理(radio  resource  management：RRM)の測定(メジャーメント)を実行することを許容する。RRMメジャーメントは、例えば、セルの同定を含む周波数間のメジャーメントを含み、そのメジャーメントはE-UTRAN周波数間セルサーチをサポートする。SeNB112により用意されるメジャーメントギャップがMeNB108により用意されるメジャーメントギャップと整合していない場合、UE104がRRMメジャーメントを実行している期間内に、アップリンク又はダウンリンクの通信がスケジューリングされてしまうかもしれない。別の例に関する或る場合には、UE104は、例えばMeNB108によりスケジューリングされるようにして通信回路の電源を遮断することにより、或る時間期間の間にわたって間欠的な受信(discontinuous  reception：DRX))状態に入っているかもしれない。SCGのSFN又はサブフレームがMCGの対応するSFN又はサブフレームに整合していない場合、SCGは、UE104がDRXスケジュールに従ってパワーダウンされている場合に、UE104のダウンリンク通信をスケジューリングしてしまうかもしれない。そこで、様々な実施形態は、MCG及びSCGのSFN/サブフレームの差分を判定し、MCG及びSCGのDRX又はメジャーメントギャップの調整を促す。
【００１５】
UE104は無線トランシーバ116を含み、無線トランシーバ116は1つ以上のアンテナ120を介してオーバーザエア通信を促す。無線トランシーバ116は送信回路124及び受信回路128を含み、それぞれ、増幅、アップ/ダウンコンバージョン、フィルタリング等のような送受信機能を提供するように構成されるが、機能はそれらに限定されない。
【００１６】
UE104は、無線トランシーバ116に結合される測定回路132を含む。測定回路132は、RRMメジャーメントを提供するように構成される。RRMメジャーメントは、MeNB108又はSeNB112によりUE104に通知されるメジャーメントギャップの指示に基づいてもよい。
【００１７】
一形態において、UEは、無線トランシーバ116及び測定回路132に結合される判定回路136を含む。判定回路136は、MCG及びSCGの間のSFN又はサブフレームの差分を判定し、MCG及びSCGのDRX又はメジャーメントギャップの調整を促す。
【００１８】
MeNB108は無線トランシーバ136を含み、無線トランシーバ136は1つ以上のアンテナ138を介してオーバーザエア通信を促す。無線トランシーバ136は送信回路140及び受信回路144を含む。送信回路124及び受信回路128と同様に、送信回路140及び受信回路144は、それぞれ、増幅、アップ/ダウンコンバージョン、フィルタリング等のような送受信機能を提供するように構成されるが、機能はそれらに限定されない。
【００１９】
MeNB108は無線トランシーバ136に結合される調整回路148を含む。調整回路148は、SCGのDRX又はメジャーメントギャップを、MCGのDRX又はメジャーメントギャップに整合させるように構成される。様々な形態に関し、以下において詳細に説明されるように、DRX又はメジャーメントギャップの調整は、SeNB112に提供されるギャップオフセットの設定によりなされてもよい。
【００２０】
一形態において、MeNB108は、調整回路148及び無線トランシーバ136に結合される判定回路152を含む。判定回路152は、MCG及びSCGのSFN又はサブフレームの間の差分を判定するように構成される。判定された差分は、ギャップオフセットを設定するための基礎を形成する。
【００２１】
SeNB112は無線トランシーバ156を含み、無線トランシーバ156は1つ以上のアンテナ166に結合される送信回路160及び受信回路164を含む。無線トランシーバ156は、MeNB108に関連して上述した無線トランシーバ136と同様に動作する。
【００２２】
SeNB112は、無線トランシーバ156に結合される調整回路170を含む。調整回路170は、SCGのDRX又はメジャーメントギャップを、MCGの対応するDRX又はメジャーメントギャップに整合させる。調整は、MeNB108から受信されるギャップオフセットの指示に基づいてもよい。
【００２３】
図2は、様々な実施形態による、環境100等のようなデュアルコネクティビティ環境におけるネットワークベース構成のメッセージフロー200を示す。
【００２４】
メッセージフロー200は、204において、MeNB108及びSeNB112の同期を含む。同期は、調整回路148及び調整回路180が、様々な同期手順のうちの何らかのものを利用して、各自のデバイスのクロックを同期させることを含む。様々な形態において、同期手順は、GPS(global  positioning  satellite)同期手順、IEEE(Institute  of  Electrical  and  Electronics  Engineers)1588-2008(PTP(precision  time  protocol)バージョン2としても言及されている)の同期手順、或いは、オープン及びクローズドループのネットワークリスニング同期手順などであってもよいが、これらに限定されない。例えば、一形態では、調整回路148はそれぞれGPSシステムに接続して同期してもよい。それは、例えば、SeNB112及びMeNB108の間の直接的な通信を当てにする必要無しに、MCG及びSCGのサブフレームのタイミングの同期を可能にする。
【００２５】
メッセージフロー200は、208において、SeNB112の送信回路160が、例えば物理ブロードキャストチャネルにおいて、MeNB108の受信回路144に、SCGのSFNの指示を送信することを含んでもよい。208におけるメッセージは、例えば、SeNB112により開始されるSCG修正リクエストであってもよい。様々な形態において、SCGのSFN、SFNSCGは、例えば208でメッセージが送信される時間のような特定の時間におけるSCGの全てのセルのSFNインデックスにより表現されてもよい。一形態では、SFNインデックスは、例えば10msのインターバルを表現する連続的なSFNインデックスに関する0ないし1023の数であってもよい。
【００２６】
212において、MeNB108の判定回路152は、MCG及びSCGのSFN同士の間の差分(SFN_差分、すなわち、ΔSFN)を判定する。
【００２７】
SFNタイミング差分(ΔSFN)の項は、次式のように表現されてもよい：
ΔSFN=SFNMCG-SFNSCG      (数式1)
ここで、SFNMCGはMCG内の全てのセルのSFNインデックスである。
【００２８】
各々のSFNは、より正確なタイミングの指示をもたらすサブフレーム番号の数に関連付けられてもよい。すなわち、一形態では、SFN_差分を判定することに加えて、212において、判定回路152がMCG及びSCGのサブフレーム同士の間の差分(SF_差分)を判定してもよい。
【００２９】
MeNB108の判定回路152はGPSに基づいてSCGのサブフレームを判定してもよい。一形態では、MeNB108は、GPSにより、SCGが送信したサブフレームの絶対的なタイミング情報を取得してもよい。これは、ギャップ/DRXの正しい開始サブフレームインデックスを決定することを、MeNB108に許容する。一形態では、サブフレームは0ないし9の番号であるサブフレームインデックスにより表現され、連続するサブフレームは特定のSFN中の1ms期間を表現する。
【００３０】
サブフレームインデックスに基づくサブフレーム単位の細かさ(subframe  granularity)は、DRX又はメジャーメントギャップの設定を促進するために望ましい。例えば、無線リソース制御(radio  resource  control：RRC)レイヤは、サブフレームインデックスに基づいてDRXタイマー(例えば、持続時間タイマー(onDurationTimer)、DRXインアクティビティタイマー(drx-InactivityTimer)、DRX再送タイマー(drx-RetransmissionTimer)等)を制御してもよい。
【００３１】
同様に、メジャーメントギャップの時点は、メジャーメントギャップコンフィギュレーション(measGapConfig)情報要素(IE)内のギャップオフセット(gapOffset)により設定される。各々のメジャーメントギャップは、以下の条件に合致するSFN及びサブフレームで始まってよい：
SFN  mod  T＝FLOOR(gapOffset/10)；
subframe＝gapOffset  mod  10
ただし、T=(メジャーメントギャップ受信期間(measurement  gap  reception  period：  MGRP))/10である。
【００３２】
判定回路152は、判定したSFN差分とSF差分とを、MeNB108の調整回路148に提供する。調整回路148は、SCGのDRX又はメジャーメントギャップを、MCGのDRX又はメジャーメントギャップに、UE104の観点から調整するためのギャップオフセットを形成する。ギャップオフセットは、SFN及びサブフレームオフセットを含んでよい。
【００３３】
メッセージフロー200は、216において、MeNB108の送信回路140が、MCGメッセージで、整合したDRX/メジャーメントギャップにおいて、SeNB112の受信回路にギャップオフセットの指示を送信することを含む。
【００３４】
メッセージフロー200は、220において、MeNB108の送信回路140が、MCGのDRX又はメジャーメントギャップの指示を、UE104の受信回路128に送信することを含む。
【００３５】
SeNB112の調整回路170は、216で送信されたギャップオフセットの指示を受信すると、SCGのDRX又はメジャーメントギャップを、MCGのDRX又はメジャーメントギャップに合わせる。一形態では、DRX又はメジャーメントギャップを整合させることは、たとえ、SCGのDRX/measGapの開始SFN/サブフレームインデックスがMCGのDRX/measGapの開始SFN/サブフレームインデックスと異なっていたとしても、MCGのDRX/measGapの開始タイミングと同じになるように、SCGのDRX/measGapの開始タイミングが変更されることを意味する。例えば、MCGのSFNが「i」であり且つSCGのSFNが「i＋SFN_オフセット」であったとしても、MCG及びSCGのDRX/measGapの双方が時点tで生じる。
【００３６】
SeNB112の送信回路160は、次に、224において、SCGのDRX又はメジャーメントギャップの指示を、UE104の受信回路128に送信する。
【００３７】
220及び224において送信されるDRX又はメジャーメントギャップの指示は、メジャーメントギャップの指示を含み、UE104の測定回路132は、受信した指示に基づいて様々なRRMメジャーメントを実行する。送信回路124は、228において、MCGのギャップによるRRMメジャーメントの通知(又は指示)をMeNB108に送信する。同様に、送信回路124は、232において、SCGのギャップによるRRMメジャーメントの通知(又は指示)をSeNB112に送信する。
【００３８】
図3は、様々な実施形態による環境例100のようなデュアルコネクティビティネットワーク環境におけるネットワークベース構成のメッセージフロー300を示す。メッセージフロー300は、メッセージ/オペレーション304,  308,  312,  316,  328及び332を含み、これらは図2に関連して上述した対応するメッセージ/オペレーション204,  208,  212,  216,  228及び232と類似している。しかしながら、この形態では、メッセージフロー300は、320において、MeNB108の送信回路が、MCG及びSCG双方に対応するDRX又はメジャーメントギャップの指示を、UE104の樹脂回路128に送信することを含む。
【００３９】
図4は、様々な実施形態による環境例100のようなデュアルコネクティビティネットワーク環境におけるUEベース構成のメッセージフロー400を示す。
【００４０】
UEベース構成は、UE104がMCG及びSCGのSFNインデックスを検出することを前提とする。例えば、MCGのSFNインデックスは、(PCellのように記される)MCGのサービングセルの中で1つ以上のマスター情報ブロック(master  information  blocks：MIBs)をUE104が検出することにより、判明する。SCGのSFNインデックスは、(pSCellのように記される)SCGの特定のセルにおいて1つ以上のMIBをUE104が検出することにより、判明する。SCGのpSCellは、UE104が報知情報を常に監視するセルである一方、SCGの他のセルについては、報知情報が散発的に監視される又は全く監視されない。
【００４１】
メッセージフロー400は、404において、MeNB108の送信回路140が、MCGのSFNの指示を、UE104の受信回路128へ送信することを含む。上述したように、MCGのSFNインデックスは、PCellのMeNB108によりブロードキャストされるMIBで提供されてもよい。
【００４２】
メッセージフロー400は、408において、SeNB112の送信回路160が、SCGのSFNの指示を、UE104の受信回路128に送信することを含む。上述したように、SCGのSFNインデックスは、pSCellのSeNB112によりブロードキャストされるMIBで提供されてもよい。
【００４３】
本形態では、UE104は、MeNB108の判定回路152に関連して説明されたものと同様に、SFN差分及びSF差分を判定するように構成される判定回路136を含む。判定がなされると、UE104の送信回路124は、414において、SFN差分及びSF差分の指示を、MeNB108の受信回路144に送信する。この形態では、MeNB108の判定回路152は、UE104から送信された通知に基づいて、SFN差分及びSF差分を判定する、と考えられてよい。
【００４４】
MeNB108の調整回路148は、SFN差分及びSF差分の指示をUE104から受信すると、図2に関連して上述したのと同様なプロセスでギャップオフセットを決定してもよい。
【００４５】
メッセージフロー400は、メッセージ/オペレーション416,  420,  424,  428及び432を含み、これらは図2に関連して説明された対応するメッセージ/オペレーション216,  220,  224,  228及び232と同様である。
【００４６】
図5は、様々な実施形態による環境例100のようなデュアルコネクティビティ環境における別のUEベース構成のメッセージフロー500を示す。メッセージフロー500は、メッセージ/オペレーション504,  508,  512,  514,  516,  528及び532を含み、これらは図4に関連して説明された対応するメッセージ/オペレーション404,  408,  412,  414,  416,  428及び432と同様である。しかしながら、この実施形態では、メッセージフロー500は、520において、MeNB108の送信回路140が、MCG及びSCG双方に対応するDRX又はメジャーメントギャップの指示を、UE104の受信回路128に送信することを含む。
【００４７】
本願で説明されるようなUE104、MeNB108又はSeNB112は、上述したように構成される適切な任意のハードウェア、ファームウェア又はソフトウェアを利用してシステムに実装されてもよい。図6は、一形態に関連するシステム例600を示し、システム例600は、無線周波数(RF)回路604、ベースバンド回路608、アプリケーション回路612、メモリ/ストレージ616、ディスプレイ620、カメラ624、センサ628、及び/又は、入力/出力(I/O)インターフェース632を含み、これらは少なくとも図示されるように互いに結合されている。
【００４８】
アプリケーション回路612は、1つ以上のシングルコア又はマルチコアプロセッサのような回路を含んでよいが、これらの例に限定されない。プロセッサは、汎用プロセッサ及び専用プロセッサの任意の組み合わせ(例えば、グラフィックスプロセッサ、アプリケーションプロセッサ等)を含んでよい。プロセッサは、メモリ/ストレージ616に結合され、及び、メモリ/ストレージ616に保存される命令を実行するように構成され、様々なアプリケーション又はオペレーティングシステムがシステム600で動作することを可能にする。
【００４９】
ベースバンド回路608は、1つ以上のシングルコア又はマルチコアプロセッサのような回路を含んでよいが、これらの例に限定されない。プロセッサはベースバンドプロセッサを含む。ベースバンドプロセッサ608は、RF回路604により1つ以上の無線ネットワークと通信することを可能にする様々な無線制御機能を取り扱う。無線制御機能は、信号変調、符号化、復号化、無線周波数シフト等のような機能を含んでよいが、これらの例に限定されない。一形態では、ベースバンド回路608は、1つ以上の無線技術とコンパチブルな通信を提供する。例えば、一形態では、ベースバンド回路608は、E-UTRAN、又は、他の無線メトロポリタンエリアネットワーク(WMAN)、無線ローカルエリアネットワーク(WLAN)若しくは無線パーソナルエリアネットワーク(WPAN)との通信をサポートしてもよい。ベースバンド回路608が1つより多いワイヤレスプロトコルによる無線通信をサポートするように構成される実施形態は、マルチモードベースバンド回路として言及される。
【００５０】
様々な形態において、ベースバンド回路608は、厳密にはベースバンド周波数におけるものとは言えない信号とともに動作する回路を含んでもよい。例えば、一形態では、ベースバンド回路608は、ベースバンド周波数と無線周波数との間の中間周波数を有する信号とともに動作する回路を含んでもよい。
【００５１】
一形態では、判定回路136又は152、調整回路148又は170、或いは、測定回路132は、アプリケーション回路612又はベースバンド回路608に組み込まれてもよい。
【００５２】
RF回路604は、固体でない媒体を介して、変調された電磁放射を利用して無線ネットワークと通信することが可能である。様々な形態において、RF回路604は、無線ネットワークとの通信を促進するように、スイッチ、フィルタ、増幅器等を含んでよい。
【００５３】
様々な形態において、RF回路604は、厳密には無線周波数とは言えない信号とともに動作する回路を含んでもよい。例えば、一形態では、RF回路604は、ベースバンド周波数と無線周波数との間にある中間周波数を有する信号とともに動作する回路を含んでもよい。
【００５４】
一形態では、無線トランシーバ116、136又は156はRF回路604に組み込まれてもよい。
【００５５】
一形態では、ベースバンド回路608、アプリケーション回路612又はメモリ/ストレージ616の構成要素の全部又は一部が、システムオンチップ(SOC)上で一緒に実装されてもよい。
【００５６】
メモリ/ストレージ616は、例えば、システム600に関するデータ又は命令をロード及び保存するために使用される。一形態に関するメモリ/ストレージ616は、揮発性メモリ(例えば、ダイナミックランダムアクセスメモリ(DRAM))又は不揮発性メモリ(例えば、フラッシュメモリ)の適切な任意の組み合わせを含んでよい。
【００５７】
様々な形態において、I/Oインターフェース632は、ユーザーのシステム600との相互作用を可能にするように設計される1つ以上のユーザーインターフェース、或いは、ペリフェラル要素のシステム600との相互作用を可能にするペリフェラルコンポーネントインターフェースを含んでもよい。ユーザーインターフェースは、物理キーボード又はキーパッド、タッチパッド、スピーカ、マイクロフォン等を含んでよいが、これらの例に限定されない。ペリフェラルコンポーネントインターフェースは、不揮発性メモリポート、ユニバーサルシリアルバス(USB)ポート、オーディオジャック、及び、電源インターフェース等を含んでよいが、これらに限定されない。
【００５８】
様々な形態において、センサ628は、システム600に関連する位置情報又は環境状態を判定する1つ以上のセンシングデバイスを含んでもよい。一形態では、センサは、ジャイロセンサ、加速度計、近接センサ、周囲光センサ、及び、測位ユニット等を含んでよいが、これらの例に限定されない。測位ユニットは、例えばグローバルポジショニングシステム(GPS)衛星のような測位ネットワークのコンポーネントと通信するRF回路604又はベースバンド回路の一部分又はそれらとやり取りするものであってよい。
【００５９】
様々な形態において、ディスプレイ620はディスプレイ(例えば、液晶ディスプレイ、タッチスクリーンディスプレイ等)を含んでもよい。
【００６０】
様々な形態において、システム600は、ラップトップコンピューティングデバイス、タブレットコンピューティングデバイス、ネットブック、ウルトラブック、スマートフォン等のようなモバイルコンピューティングデバイスであってもよいが、これらの例に限定されない。様々な形態において、システム600は、より多い又はより少ないコンポーネント又は異なるアーキテクチャを有してもよい。
【００６１】
以下、様々な形態の具体例を例示的に記載する。
【００６２】
具体例1はマスターエボルブドノードB(MeNB)回路を含み、MeNB回路は：
セカンダリセルグループ(SCG)のシステムフレーム番号(SFN)とマスターセルグループ(MCG)のSFNとの間の差分を判定し、及び、前記SCGのサブフレーム番号と前記MCGのサブフレーム番号との間の差分を判定する判定回路；及び、前記判定回路に結合され、前記SCGの間欠受信(DRX)又はメジャーメントギャップを、前記MCGのDRX又はメジャーメントギャップに整合させるギャップオフセットを設定する調整回路；を有する。
【００６３】
具体例2は具体例1のMeNB回路を含み、前記ギャップオフセットは、前記SCGのDRX又はメジャーメントギャップを、前記MCGのDRX又はメジャーメントギャップに、サブフレーム単位で整合させる。
【００６４】
具体例3は具体例1又は2のMeNB回路を含み、更に、前記SCGの前記SFNの通知を、セカンダリエボルブドノードB(SeNB)から受信する受信回路を有し、前記判定回路は、受信した通知に基づいて、前記SCGのSFNと前記MCGのSFNとの間の差分を判定する。
【００６５】
具体例4は具体例1又は2に記載のMeNB回路を含み、更に、前記SCGのSFNと前記MCGのSFNとの間の差分の通知を、ユーザー装置(UE)から受信する受信回路を有し、前記判定回路は、受信した通知に基づいて、前記差分を判定する。
【００６６】
具体例5は具体例1ないし4の何れかのMeNBを含み、更に、前記調整回路に結合され、前記ギャップオフセットの通知を、前記SCGに関連するSeNBに送信する送信回路を有する。
【００６７】
具体例6は具体例5のMeNB回路を含み、前記送信回路は、更に、前記MCGのDRX又はメジャーメントギャップの通知を、ユーザー装置(UE)に送信する。
【００６８】
具体例7は具体例6のMeNB回路を含み、前記送信回路は、更に、前記SCGのDRX又はメジャーメントギャップを、前記UEに送信する。
【００６９】
具体例8は具体例6のMeNB回路を含み、前記送信回路は、前記MCGのメジャーメントギャップを送信し、及び、前記MeNBは、前記メジャーメントギャップに基づいて、前記UEから、無線リソース管理(RRM)メジャーメントの通知を受信する受信回路を更に有する。
【００７０】
具体例9は具体例1ないし8の何れかのMeNBを含み、前記判定回路は、前記SCGのサブフレーム番号と前記MCGのサブフレーム番号との間の差分を判定するために、前記SeNBに同期させられる。
【００７１】
具体例10はセカンダリエボルブドノードB(SeNB)回路を含み、SeNB回路は：前記SeNBに関連するセカンダリセルグループ(SCG)のシステムフレーム番号(SFN)の通知を送信する送信回路；マスターエボルブドノードB(MeNB)から、ギャップオフセットの通知を受信する受信回路；及び、ギャップオフセットの受信した通知に基づいて、前記SCGの間欠受信(DRX)又はメジャーメントギャップを、前記MeNBに関連するマスターセルグループ(MCG)のDRX又はメジャーメントギャップに整合させる調整回路；を有する。
【００７２】
具体例11は具体例10のSeNBを含み、前記送信回路は、前記SCGのSFNの通知を前記MeNBに送信する。
【００７３】
具体例12は具体例10又は11のSeNBを含み、前記送信回路は、前記SCGのSFNの通知をユーザー装置(UE)に送信する。
【００７４】
具体例13は具体例10ないし12の何れかのSeNBを含み、前記送信回路は、前記SCGのDRX又はメジャーメントギャップの通知をユーザー装置(UE)に送信する。
【００７５】
具体例14は具体例10ないし13の何れかのSeNBを含み、前記送信回路は、前記SCGのメジャーメントギャップの通知を送信し、及び、前記受信回路は、前記メジャーメントギャップに基づいて、ユーザー装置(UE)から、無線リソース管理(RRM)メジャーメントの通知を受信する。
【００７６】
具体例15は具体例10ないし14の何れかのSeNBを含み、前記調整回路は、前記SCGと前記MCGとの間のサブフレーム番号の差分の決定を促すように、前記MeNBと同期させられる。
【００７７】
具体例16は具体例15のSeNBを含み、GPS同期手順、IEEE1588-2008の同期手順、オープンループネットワーク監視同期手順、又は、クローズドループネットワーク監視同期手順を利用して、前記調整回路は前記MeNBと同期する。
【００７８】
具体例17はユーザー装置(UE)回路を含み、UE回路は：マスターセルグループ(MCG)のシステムフレーム番号(SFN)の通知とセカンダリセルグループ(SCG)のSFNの通知とを受信する受信回路；前記受信回路に結合され、前記MCGのSFNと前記SCGのSFNとの間の差分を判定する判定回路；及び、前記MCGのSFNと前記SCGのSFNとの間の差分の通知を、前記MCGに関連するマスターエボルブドノードB(MeNB)に送信する送信回路；を有する。
【００７９】
具体例18は具体例17のUE回路を含み、前記受信回路は、前記MCGの間欠受信(DRX)又はメジャーメントギャップの通知を、MeNBから受信する。
【００８０】
具体例19は具体例18のUE回路を含み、前記受信回路は、前記MCGのメジャーメントギャップの通知を受信し、及び、前記UE回路は、前記メジャーメントギャップに基づいて、無線リソース管理(RRM)メジャーメントを実行するメジャーメント回路を更に有し、前記送信回路は、前記メジャーメント回路に結合され、且つ、前記RRMメジャーメントの通知を前記MeNBに送信する。
【００８１】
具体例20は具体例17ないし19の何れかのUE回路を含み、前記受信回路は、前記SCGのメジャーメントギャップの通知を受信し、及び、前記UE回路は、前記メジャーメントギャップに基づいて、無線リソース管理(RRM)メジャーメントを実行するメジャーメント回路を更に有し、前記送信回路は、前記メジャーメント回路に結合され、且つ、前記RRMメジャーメントの通知を、セカンダリエボルブドノードB(SeNB)に送信する。
【００８２】
具体例21は具体例20のUE回路を含み、前記受信回路は、前記SCGのメジャーメントギャップの通知を前記MeNBから受信する。
【００８３】
具体例22は具体例20のUE回路を含み、前記受信回路は、前記SCGのメジャーメントギャップの通知を前記SeNBから受信する。
【００８４】
具体例23は方法を含み、その方法は：セカンダリセルグループ(SCG)のシステムフレーム番号(SFN)とマスターセルグループ(MCG)のSFNとの間の差分を判定するステップ；前記SCGのサブフレーム番号と前記MCGのサブフレーム番号との間の差分を判定するステップ；及び、前記SCGの間欠受信(DRX)又はメジャーメントギャップを、前記MCGのDRX又はメジャーメントギャップに整合させるギャップオフセットを設定するステップ；を有する。
【００８５】
具体例24は具体例23の方法を含み、前記ギャップオフセットは、前記SCGのDRX又はメジャーメントギャップを、前記MCGのDRX又はメジャーメントギャップに、サブフレーム単位で整合させる。
【００８６】
具体例25は具体例23又は24の方法を含み、その方法は：前記SCGのSFNの通知を、セカンダリエボルブドノードB(SeNB)から受信するステップを更に有し、前記SCGのSFNと前記MCGのSFNとの間の差分を判定することは、受信した通知に基づいている。
【００８７】
具体例26は具体例23ないし25の何れかの方法を含み、その方法は：SCGのSFNとMCGのSFNとの間の差分の通知をユーザー装置(UE)から受信するステップを更に含み、判定回路は受信した通知に基づいて差分を判定する。
【００８８】
具体例27は具体例23ないし26の何れかの方法を含み、その方法は：SCGに関連するSeNBに、ギャップオフセットの通知を送信するステップを更に含む。
【００８９】
具体例28は具体例27の方法を含み、MCGのDRX又はメジャーメントギャップの通知の送信は、ユーザー装置(UE)に対するものである。
【００９０】
具体例29は具体例28の方法を含み、SCGのDRX又はメジャーメントギャップの送信は、UEに対するものである。
【００９１】
具体30は具体例28の方法を含み、その方法は：メジャーメントギャップに基づいて、UEから、無線リソース管理(RRM)メジャーメントの通知を受信するステップを更に含む。
【００９２】
具体例31は具体例23ないし30の何れかの方法を含み、その方法は、SCGのサブフレーム番号とMCGのサブフレーム番号との間の差分を判定するために、SeNBに同期するステップを更に含む。
【００９３】
具体例32は方法を含み、その方法は：セカンダリエボルブドノードB(SeNB)に関連するセカンダリセルグループ(SCG)のシステムフレーム番号(SFN)の通知を送信し；マスターエボルブドノードB(MeNB)から、ギャップオフセットの通知を受信し；及び、前記ギャップオフセットの受信した通知に基づいて、前記SCGの間欠受信(DRX)又はメジャーメントギャップを、前記MeNBに関連するマスターセルグループ(MCG)のDRX又はメジャーメントギャップに整合させる；ステップを有する方法である。
【００９４】
具体例33は具体例32の方法を含み、前記SCGのSFNの通知を送信することは、前記MeNBに対するものである。
【００９５】
具体例34は具体例32又は33の方法を含み、前記SCGのSFNの通知を送信することは、ユーザー装置(UE)に対するものである。
【００９６】
具体例35は具体例32ないし34の何れかの方法を含み、その方法は、前記SCGのDRX又はメジャーメントギャップの通知をユーザー装置(UE)に送信することを含む。
【００９７】
具体例36は具体例32ないし35のうちの何れかの方法を含み、その方法は、前記SCGのメジャーメントギャップの通知を送信し；及び、前記メジャーメントギャップに基づいて、ユーザー装置(UE)から、無線リソース管理(RRM)メジャーメントの通知を受信するステップを更に有する。
【００９８】
具体例37は具体例32ないし36の何れかの方法を含み、MeNBとの同期は、前記SCGと前記MCGとの間のサブフレーム番号の差分の決定を促すようになされる。
【００９９】
具体例38は具体例37の方法を含み、その方法は、GPS同期手順、IEEE1588-2008の同期手順、オープンループネットワーク監視同期手順、又は、クローズドループネットワーク監視同期手順を利用して、前記MeNBと同期するステップを更に有する。
【０１００】
具体例39は、命令を有する1つ以上の非一時的なコンピュータ読み取り可能な媒体を含み、命令は、1つ以上のプロセッサにより実行される場合に、具体例23ないし38の何れかの方法を実行する。
【０１０１】
要約書に記載されたものを含む本願で説明された実施形態の記述は、網羅的であることを意図しておらず、本開示を、説明された具体的な形態に限定するようにも意図されていない。具体的な実現手段及び具体例は例示的な説明のために記載されており、当業者が認めるように、本開示の範囲内で、様々な等価な変形例が可能である。それらの変形が上記の詳細な説明の観点から開示内容に施されてもよい。
【図１】
0006479853.tif 000002
【図２】
0006479853.tif 000003
【図３】
0006479853.tif 000004
【図４】
0006479853.tif 000005
【図５】
0006479853.tif 000006
【図６】
0006479853.tif 000007